(57)【要約】【課題】確実に複数の出力シリンダーを同期して作動させることができるようにする。【解決手段】水圧シリンダー２のピストン３に複数のピストンロッド４、４を平行して設ける。水圧シリンダー２の上部に、該水圧シリンダー２のピストンロッド４、４をそのピストンロッドとして用いる複数の同期シリンダー９、１０を垂直に連結する。該同期シリンダー９、１０の夫々と出力シリンダー１１、１２の夫々とをパイプ１３、１４をもって接続する。【選択図】        図１
0003118864.tif 000002
【実用新案登録請求の範囲】
【請求項１】
複数の出力シリンダーを同期して作動せしめるべくなしたシリンダー装置において、水圧若しくは空圧シリンダーのピストンに複数のピストンロッドを平行して設けると共に、該水圧若しくは空圧シリンダーに、該水圧若しくは空圧シリンダーのピストンロッドをそのピストンロッドとして用いる複数の同期シリンダーを連結し、該同期シリンダーの夫々と出力シリンダーの夫々とをパイプをもって接続してなることを特徴とするシリンダー装置。
【請求項２】
所要の広さの浴槽と、浴槽の対向壁に夫々垂直に取着した出力シリンダーと、前記浴槽内において昇降し得る広さの台板の両端部を夫々直角に上方に延出し、更に該上方への延出部分の上端を外方に夫々直角に屈曲し、該外方への屈曲部分を前記出力シリンダーのピストンロッドの先端に接続した架台と、前記浴槽の対向壁における前記出力シリンダーを挟む位置に垂直方向摺動自在に設け、上端部を前記架台の外方への屈曲部分に接続した昇降ガイド杆と、浴槽の壁部に設けた、水圧若しくは空圧シリンダーのピストンに複数のピストンロッドを平行して設けると共に、該水圧若しくは空圧シリンダーに、該水圧若しくは空圧シリンダーのピストンロッドをそのピストンロッドとして用いる複数の同期シリンダーを連結し、該同期シリンダーの夫々と出力シリンダーの夫々とをパイプをもって接続してなるシリンダー装置とをもって構成してなることを特徴とする昇降装置付浴槽。
【考案の詳細な説明】
【技術分野】
【０００１】
本考案はシリンダー装置、更に詳細には、複数の出力シリンダーを同期して作動せしめるべくなしたシリンダー装置及びこれを用いた昇降装置付浴槽に関するものである。
【背景技術】
【０００２】
例えば、昇降装置においては、複数の出力シリンダーを用い、これを同期して作動させることによって所定の物体を昇降させるものがある。
【０００３】
しかし、従来のシリンダー装置は、複数の出力シリンダーを完全に同期して作動させることが難しく、このため、完全な水平状態を維持したまま昇降させることは困難であった。
【０００４】
また一方、例えば病院等においては入院中の患者を定期的に入浴させるが、余り動かすことができない患者の場合にはベッドからストレッチャーに乗せたまま浴室に運び、そして浴槽に備えた昇降装置にストレッチャーを乗せ、そのまま入浴させていた。
【０００５】
しかし、従来の昇降装置ではストレッチャーを完全な水平状態を維持したまま昇降させることが難しかったため、湯に入るときに仰臥している患者の頭部側が下になって傾いた状態で降りてしまう等の事態が起こりやすかった。
【０００６】
そこで、本考案者は、斯かる点を改善すべく、特許文献１に示された、複数の出力シリンダーを完全に同期して作動させることができるようになしたシリンダー装置及び、これを用いてストレッチャーを完全な水平状態を維持したまま昇降させることができるようになした昇降装置付浴槽を案出した。
【０００７】
【特許文献１】実用新案登録第３０７１１７７号登録実用新案公報
【０００８】
そして、該特許文献１に示されたシリンダー装置は、水圧若しくは空圧シリンダーを挟んで平行に同期シリンダーを配置すると共に、該水圧若しくは空圧シリンダーのピストンロッドと該同期シリンダーのピストンロッドとを連結杆をもって連結し、該同期シリンダーの夫々と出力シリンダーの夫々とをパイプをもって接続してなることを特徴とするものであり、また昇降装置付浴槽は、所要の広さの浴槽と、浴槽の対向壁に夫々垂直に取着した出力シリンダーと、前記浴槽内において昇降し得る広さの台板の両端部を夫々直角に上方に延出し、更に該上方への延出部分の上端を外方に夫々直角に屈曲し、該外方への屈曲部分を前記出力シリンダーのピストンロッドの先端に接続した架台と、前記浴槽の対向壁における前記出力シリンダーを挟む位置に垂直方向摺動自在に設け、上端部を前記架台の外方への屈曲部分に接続した昇降ガイド杆と、浴槽の壁部に設けた、水圧若しくは空圧シリンダーを挟んで平行に同期シリンダーを配置すると共に、該水圧若しくは空圧シリンダーのピストンロッドと該同期シリンダーのピストンロッドとを連結杆をもって連結し、該同期シリンダーの夫々と前記出力シリンダーの夫々とをパイプをもって接続してなるシリンダー装置とをもって構成してなることを特徴とするものである。
【０００９】
これらシリンダー装置及び昇降装置付浴槽は、所期の目的を充分に達成することができるものであるが、実際の使用において更なる改善点も発見された。それは、水圧若しくは空圧シリンダーのピストンロッドと複数の同期シリンダーのピストンロッドとを連結する連結杆が、作動中において僅かな撓みを生ずることがあり、この場合には複数の出力シリンダーは完全に同期して作動することができなくなる。
【考案の開示】
【考案が解決しようとする課題】
【００１０】
本考案は、上記の点を改善し、確実に複数の出力シリンダーを同期して作動させることができるようになしたシリンダー装置及び、これを用いた昇降装置付浴槽を提供せんとするものである。
【課題を解決するための手段】
【００１１】
而して、本考案に係るシリンダー装置の要旨とするところは、複数の出力シリンダーを同期して作動せしめるべくなしたシリンダー装置において、水圧若しくは空圧シリンダーのピストンに複数のピストンロッドを平行して設けると共に、該水圧若しくは空圧シリンダーに、該水圧若しくは空圧シリンダーのピストンロッドをそのピストンロッドとして用いる複数の同期シリンダーを連結し、該同期シリンダーの夫々と出力シリンダーの夫々とをパイプをもって接続してなることを特徴とするシリンダー装置にある。
【００１２】
また、上記シリンダー装置を用いた本考案に係る昇降装置付浴槽の要旨とするところは、所要の広さの浴槽と、浴槽の対向壁に夫々垂直に取着した出力シリンダーと、前記浴槽内において昇降し得る広さの台板の両端部を夫々直角に上方に延出し、更に該上方への延出部分の上端を外方に夫々直角に屈曲し、該外方への屈曲部分を前記出力シリンダーのピストンロッドの先端に接続した架台と、前記浴槽の対向壁における前記出力シリンダーを挟む位置に垂直方向摺動自在に設け、上端部を前記架台の外方への屈曲部分に接続した昇降ガイド杆と、浴槽の壁部に設けた、水圧若しくは空圧シリンダーのピストンに複数のピストンロッドを平行して設けると共に、該水圧若しくは空圧シリンダーに、該水圧若しくは空圧シリンダーのピストンロッドをそのピストンロッドとして用いる複数の同期シリンダーを連結し、該同期シリンダーの夫々と出力シリンダーの夫々とをパイプをもって接続してなるシリンダー装置とをもって構成してなることを特徴とする昇降装置付浴槽にある。
【考案の効果】
【００１３】
本考案に係るシリンダー装置によれば、複数の出力シリンダーを完全に同期して作動させることができ、また、電気を使用していないから漏電の心配がない等の効果の点においては、先に案出したシリンダー装置と同様であり、加えて確実な同期作動をなさしめることができるものである。
【００１４】
また、本考案に係る昇降装置付浴槽によれば、浴槽内を昇降する架台を、傾くことなく完全な水平状態を維持したまま昇降させることができる点においては、先に案出した昇降装置付浴槽と同様であり、加えて確実な架台の水平状態における昇降をなさしめることができるものである。
【考案を実施するための最良の形態】
【００１５】
本考案を実施するための最良の形態について説明すると、シリンダー装置としては、水圧若しくは空圧シリンダーのピストンに複数のピストンロッドを平行して設けると共に、該水圧若しくは空圧シリンダーに、該水圧若しくは空圧シリンダーのピストンロッドをそのピストンロッドとして用いる複数の同期シリンダーを連結し、該同期シリンダーの夫々と出力シリンダーの夫々とをパイプをもって接続することにあり、また、昇降装置付浴槽としては、所要の広さの浴槽と、浴槽の対向壁に夫々垂直に取着した出力シリンダーと、前記浴槽内において昇降し得る広さの台板の両端部を夫々直角に上方に延出し、更に該上方への延出部分の上端を外方に夫々直角に屈曲し、該外方への屈曲部分を前記出力シリンダーのピストンロッドの先端に接続した架台と、前記浴槽の対向壁における前記出力シリンダーを挟む位置に垂直方向摺動自在に設け、上端部を前記架台の外方への屈曲部分に接続した昇降ガイド杆と、浴槽の壁部に設けた、水圧若しくは空圧シリンダーのピストンに複数のピストンロッドを平行して設けると共に、該水圧若しくは空圧シリンダーに、該水圧若しくは空圧シリンダーのピストンロッドをそのピストンロッドとして用いる複数の同期シリンダーを連結し、該同期シリンダーの夫々と出力シリンダーの夫々とをパイプをもって接続してなるシリンダー装置とをもって構成することにある。
【実施例】
【００１６】
以下、本考案の実施例について説明する。
図１はシリンダー装置の説明図である。
【００１７】
図中、１はシリンダー装置である。２は該シリンダー装置１における水圧シリンダーである。尚、この水圧シリンダーに代えて空気による空圧シリンダーを使用してもよい。３は該水圧シリンダー２におけるピストン、４、４は該ピストン３に平行して設けたピストンロッドである。また、該水圧シリンダー２は、手動切換弁５を介して水道（図示せず。）に接続している。尚、６、７、８はパイプである。
【００１８】
９、１０は前記水圧シリンダー２の上部に垂直に連結した同期シリンダーであり、前記水圧シリンダー２のピストンロッド４、４をそのピストンロッドとして用いるものである。即ち、９ａ、１０ａは該同期シリンダー９、１０の夫々のピストンであるが、これらピストン９ａ、１０ａは前記水圧シリンダー２のピストンロッド４、４の先端部に夫々接続されているものである。
【００１９】
１１、１２は夫々パイプ１３、１４を介して前記同期シリンダー９、１０に接続した油圧式の出力シリンダーである。１１ａ、１２ａは出力シリンダー１１、１２の夫々のピストン、１１ｂ、１２ｂは夫々のピストンロッドである。
【００２０】
次に、上記シリンダー装置の作用について説明する。
図１に示す如く、手動切換弁５によって水道水を水圧シリンダー２の下室に送入すると、ピストン３が押圧されて上がる。これに伴い水圧シリンダー２のピストン３に平行して設けたピストンロッド４、４も上がり、同期シリンダー９、１０の夫々のピストン９ａ、１０ａも上がる。これによって同期シリンダー９、１０内の油がパイプ１３、１４を介して圧送され、出力シリンダー１１、１２のピストン１１ａ、１２ａを押し上げるものである。
【００２１】
このとき、水圧シリンダー２のピストン３に平行して設けた２本のピストンロッド４、４は、夫々水圧シリンダー２の上部に連結した同期シリンダー９、１０のピストンロッドとして用いるものであるから、水圧シリンダー２におけるピストン３の動作が直接２個の同期シリンダー９、１０の夫々のピストン９ａ、１０ａに伝達されることになる。したがって、確実に両出力シリンダー１１、１２の動作を完全に同期させることができるものである。
【００２２】
また、前記と逆に出力シリンダー１１、１２のピストンロッド１１ｂ、１２ｂを退入させるときには、手動切換弁５を切り換え、水圧シリンダー２の上室に水道水を送入すればよく、これにより前記と逆の工程を経てピストンロッド１１ｂ、１２ｂが退入するものである。
【００２３】
次に、図２乃至図４に示した昇降装置付浴槽について説明する。
図２は架台を省略して示した浴槽の平面図、図３は架台の一部を省略して示した浴槽の右側面図、図４は浴槽を省略して示したシリンダー装置の説明図である。
【００２４】
図中、１５は平面矩形状の浴槽である。また、該浴槽１５の対向壁には前記シリンダー装置１における出力シリンダー１１、１２を垂直に取着している。１６、１７、１８、１９は昇降ガイド杆である。また、該昇降ガイド杆１６、１７、１８、１９は前記浴槽１５の対向壁における前記出力シリンダー１１、１２を挟む位置に垂直方向摺動自在に設けており、上端部を後記架台の外方への屈曲部分に接続している。
【００２５】
２０は架台である。また、該架台２０は前記浴槽１５内において昇降し得る広さのストレッチャーを乗せる台板２１の長さ方向の両端部を夫々直角に上方に延出し、更に該上方への延出部分２１ａ、２１ａの上端を外方に夫々直角に屈曲し、該外方への屈曲部分２１ｂ、２１ｂを前記出力シリンダー１１、１２のピストンロッド１１ｂ、１２ｂの先端に接続してなるものである。尚、２２はストレッチャーを示す。
【００２６】
そしてまた、前記浴槽１５の壁部には、前記の如き構成のシリンダー装置１を設置してなるものである。
【００２７】
次に、上記昇降装置付浴槽の作用について説明する。
患者が乗ったストレッチャー２２を架台２０の台板２１に横からずらせて乗せるときには、図４に示す如く水圧シリンダー２の下室に水道水を送入して架台２０を上昇させておく。そして、患者を浴槽１５内の湯に入れるときには、水圧シリンダー２の上室に適宜の速さで徐々に水道水を送入するものである。これにより両出力シリンダー１１、１２のピストンロッド１１ｂ、１２ｂは完全に同期して退入し、架台２０が傾くことなく完全に水平を維持して降下する。そしてまた、再び上昇させるときにも、架台２０は傾くことなく完全に水平を維持して上昇するものである。そして、前記の如く、用いるシリンダー装置１は、確実に両出力シリンダー１１、１２の動作を完全に同期させることができるものであるから、確実な架台２０の水平状態における昇降を行うことができるものである。
【図面の簡単な説明】
【００２８】
【図１】本考案に係るシリンダー装置の説明図である。
【図２】架台を省略して示した本考案に係る昇降装置付浴槽の平面図である。
【図３】架台を一部省略して示した本考案に係る昇降装置付浴槽の右側面図である。
【図４】浴槽を省略して示した本考案の昇降装置付浴槽に設置したシリンダー装置の説明図である。
【符号の説明】
【００２９】
１  シリンダー装置
２  水圧シリンダー
３  水圧シリンダーのピストン
４、４  水圧シリンダーのピストンロッド
９、１０  同期シリンダー
９ａ、１０ａ  同期シリンダーのピストン
１１、１２  出力シリンダー
１１ａ、１２ａ  出力シリンダーのピストン
１１ｂ、１２ｂ  出力シリンダーのピストンロッド
１５  浴槽
１６、１７、１８、１９  昇降ガイド杆
２０  架台
２１  台板
２１ａ、２１ａ  延出部分
２１ｂ、２１ｂ  屈曲部分
【図１】
0003118864.tif 000003
【図２】
0003118864.tif 000004
【図３】
0003118864.tif 000005
【図４】
0003118864.tif 000006